(57)【特許請求の範囲】
【請求項１】
被写体の画像を確認するためのファインダーと、アクセサリー機器が着脱可能なアクセサリーシューと、前記アクセサリーシューを覆う着脱可能なシューカバーを設け、前記アクセサリーシューにアクセサリー機器を着脱する場合に、前記ファインダーを前記アクセサリーシューから光軸方向に離反させる方向に移動させることにより、前記アクセサリーシューの挿入口を露出させる撮像装置であって、前記シューカバーを外すための指掛け部が前記ファインダーを前記アクセサリーシューから光軸方向に離反させるように移動させることにより露出することを特徴とする撮像装置。
【請求項２】
前記シューカバーは前記アクセサリーシューの全面を覆い、前記シューカバーが装着された状態では前記アクセサリーシューが外部に露出しないことを特徴とする請求項１記載の撮像装置。
【請求項３】
前記シューカバーの上面は前記ファインダーの上面部と略同一面で形成されることを特徴とする請求項１記載の撮像装置。
【請求項４】
前記ファインダーを前記アクセサリーシューから光軸方向に離反させる方向に移動させない状態では、着脱可能な前記シューカバーの指掛け部は前記ファインダーの一部に勘合することを特徴とする請求項１記載の撮像装置。
【発明の詳細な説明】
【技術分野】
【０００１】
本発明はビデオカメラ装置等の撮像装置に関し、特に、ファインダー及びアクセサリー機器が着脱可能なアクセサリーシューを備えた撮像装置に関するものである。
【背景技術】
【０００２】
近年のビデオカメラでは、被写体の画像を確認したり再生時のモニターのためにファインダーが設けられている。またフラッシュ装置やマイクロホン装置などのアクセサリー装置をビデオカメラ本体に着脱するためのアクセサリーシューが設けられたビデオカメラが提案されている。
【０００３】
このアクセサリーシューは装着するアクセサリーの性能上、ビデオカメラ本体上部に突出するように備える必要があるため、ビデオカメラ装置の小型化と相反してしまうと共にアクセサリーシューによって指など引っ掛かりを生じるおそれがある。またデザイン上の見た目も煩雑な感じを与えるばかりでなく、ビデオカメラ装置の操作上からも邪魔になってしまう。
【０００４】
このため例えば、特許文献１や特許文献２にはビューファインダーと、外装ケース上部に取り付けられ且つアクセサリー装置が着脱可能に装着されるアクセサリーシューとを備えた撮像装置が開示されている。この中ではビューファインダーをアクセサリーシューに対して接近及び離反させるファインダー移動機構が設けられている。このファインダー移動機構の移動によりビューファインダーをアクセサリーシューから離反させることによってアクセサリーシューの挿入口を露出させ、その挿入口からアクセサリー装置を装着可能にした技術が公開されている。
【特許文献１】特開２００５−１９１７００
【特許文献２】特開２００２−５１２４４
【発明の開示】
【発明が解決しようとする課題】
【０００５】
しかしながら、上記したような従来の撮像装置において、シューカバーは略コの字形状したアクセサリーシューに挿入し且つアクセサリーシューの中央部のみを覆うものである。これではアクセサリーシューの両側は外観に露出したままで、デザイン上の見た目の品位が良くないうえ、アクセサリーシューによって指など引っ掛かりを生じるおそれがある。
【０００６】
またアクセサリーシュ−に装着されたシュ−カバーを外す場合はシューカバーの上面部に設けられた円弧状の凹部あるいはリブ状の凸部を指掛けとし、シューカバーをスライドさせることにより外すことができる。しかしシューカバーに設けられた円弧状の凹部あるいはリブ状の凸部は外観に露出するものであり、これもまたデザイン上の見た目の品位が良くない。
【０００７】
すなわち従来の問題点である、アクセサリーシューによって引っ掛かりを生じるおそれがある他に、デザイン上の見た目も煩雑な感じを与えるばかりでなく、ビデオカメラ装置の操作上からも邪魔になってしまうという問題に対して十分に対策できているとは言いがたい。
【０００８】
本発明では、上記の点に着目して成されたもので、アクセサリーシューによって引っ掛かりを生じるおそれがなく、またデザイン上の見た目も品位良く、ビデオカメラ装置の操作上からも邪魔にならない撮像装置を提供することを目的とする。
【課題を解決するための手段】
【０００９】
本発明における撮像装置は、下記構成を備えることにより上記課題を解決できるものである。
【００１０】
被写体の画像を確認するためのファインダーと、アクセサリー機器が着脱可能なアクセサリーシューと、前記アクセサリーシューを覆う着脱可能なシューカバーを設け、前記アクセサリーシューにアクセサリー機器を着脱する場合に、前記ファインダーを前記アクセサリーシューから光軸方向に離反させる方向に移動させることにより、前記アクセサリーシューの挿入口を露出させる撮像装置であって、前記シューカバーを外すための指掛け部が前記ファインダーを前記アクセサリーシューから光軸方向に離反させるように移動させることにより露出することを特徴とする。
【００１１】
更に前記シューカバーは前記アクセサリーシューの全面を覆い、前記シューカバーが装着された状態では前記アクセサリーシューが外部に露出しないことを特徴とする。
【００１２】
更に前記シューカバーの上面は前記ファインダーの上面部と略同一面で形成されることを特徴とする。
【００１３】
更に前記ファインダーを前記アクセサリーシューから光軸方向に離反させる方向に移動させない状態では、着脱可能な前記シューカバーの指掛け部は前記ファインダーの一部に勘合することを特徴とする。
【発明の効果】
【００１４】
以上説明したように、本発明における撮像装置によれば、上記のような構成としたため、アクセサリーシューによって指などの引っ掛かりを生じるおそれがなくなる。またデザイン上の見た目も品位良く、ビデオカメラ装置の操作上からも邪魔にならない撮像装置を提供することができる。
【００１５】
更に前記ファインダーを前記アクセサリーシューから光軸方向に離反させる方向に移動させない状態では、着脱可能な前記シューカバーの指掛け部は前記ファインダーの一部に勘合する構成としたため、不用意にシューカバーが外れることの無い操作性に優れた撮像装置を提供することができる。
【発明を実施するための最良の形態】
【００１６】
以下、本発明を実施するための最良の形態を、実施例により詳しく説明する。
【実施例１】
【００１７】
本発明による撮像装置の実施の形態を、被写体の画像を確認するためのファインダーと、アクセサリー機器が着脱可能なアクセサリーシューと、前記アクセサリーシューを覆う着脱可能なシューカバーを設けたビデオカメラ装置を例にとって、図１及び図２を用いて説明する。
【００１８】
図１は本発明によるビデオカメラのファインダーを収納した状態を示す後方斜視図、図２は本発明によるビデオカメラのファインダーをスライドさせた状態を示す後方斜視図である。
【００１９】
図中、１は撮像レンズ、２は記録媒体が装着される記録部で、撮像レンズ１の横にレイアウトされ撮影時に撮影者が把持するためのグリップとなる。３は音声を記録するためのマイクロフォンでビデオカメラ本体８の上面部前方に備えられている。４はズームレバー、５は電源ダイヤルである。
【００２０】
６はシューカバーで撮影レンズ１の上方でマイクロフォン３の後方に配置され、更にその後方にファインダー７が移動可能に備えられており、後述するアクセサリーシューの全面を覆っている。図１で示すファインダー７の収納状態においてシューカバー６とファインダー７は隣接している。そしてシューカバー６の上面とファインダー７の上面部は略同一面となっており、デザイン上の見た目が良くなっている。
【００２１】
ビデオカメラ本体８にアクセサリー機器を装着する場合はファインダー７のアイカップ部７ａを摘み、矢印Ａ方向、すなわち撮像レンズ１の光軸方向でシューカバー６から離反するようにファインダー７を移動させる。するとシューカバー６に設けられた凹状の指掛け部６ａが露出する。
【００２２】
ここで図３及び図４を用いてファインダー７の移動機構を説明する。
【００２３】
ファインダー７は長穴９ａが形成された保持部材９にピン１０、１１によってスライド可能に係止されている。図３はファインダー７の収納状態で長穴９ａの端部にピン１０が突き当たっている。そしてファインダー７を矢印Ａ方向にスライドさせると、ピン１０，１１が長穴９ａを滑動し、ピン１１が長穴９ａの端部に突き当たるまでファインダー７はスライド可能となる。そして保持部材９は図示せぬビデオカメラ本体カバーに保持されている。
【００２４】
次にシューカバー６を外した状態を図５〜図７に示す。ファインダー７をスライドさせ、シューカバー６を外すとビデオカメラ本体８に備えられたアクセサリーシュー１２が露出する。さらにシューカバー６には爪部６ｂ，６ｃ，６ｅ，６ｆが形成されており、この爪部がビデオカメラ本体カバーに設けられた穴８ｂ，８ｃ，８ｅ，８ｆとそれぞれが勘合し、シューカバー６はビデオカメラ本体８に備えられたアクセサリーシュー１２を覆うように所定の位置に保持されるものである。そしてシューカバー６を外す場合はシューカバー６に設けられた凹状の指掛け部６ａに指を掛けて、シューカバー６をビデオカメラ本体８から引き剥がすように押圧する。するとシューカバー６に設けられた爪部６ｂ，６ｃ，６ｅ，６ｆとビデオカメラ本体カバーに設けられた穴８ｂ，８ｃ，８ｅ，８ｆとの勘合関係が外れて、シューカバー６はビデオカメラ本体８から外せるようになる。
【００２５】
図７では前記したアクセサリー機器の一具体例を示すマイクロホン装置１３が記載されている。このマイクロホン装置１３を装着するためには、アクセサリーシュー１２から離反されるようにスライドさせたファインダー７とアクセサリーシュー１２との間にできた空間１４に挿し込み、マイクロホン装置１３の勘合部１３ａをアクセサリーシュー１２の挿入口１２ａに挿入する。
【実施例２】
【００２６】
本発明による撮像装置の第２の実施の形態のシューカバーを設けたビデオカメラ装置を図８及び図９を用いて説明する。図８はファインダー１６をシューカバー１５から離反するように移動させた状態を示す後方斜視図である。
【００２７】
ファインダー１６に近接する側のシューカバー１５の端面には凸状のリブ１５ａが形成されている。この凸状のリブ１５ａがシューカバー１５を外す時の指掛けとなる。またシューカバー１５は第一の実施例と同様な構成によりビデオカメラ本体に備えられたアクセサリーシューを覆うようにビデオカメラ本体に保持されている。
【００２８】
図９はファインダー１６の収納状態を示す部分断面図である。ファインダー１６にはシューカバー１５に形成された凸状のリブ１５ａと勘合する凹部１６ａが形成されている。すなわちファインダー１６の収納状態ではシューカバー１５はロックされて外れない構造となっており、不用意にシューカバーが外れることがない。またこのファインダー１６を収納した状態ではシューカバー１５に形成された凸状のリブ１５ａは外部に露出することはなくデザイン上の見栄えが良い。
【００２９】
そしてファインダー１６をシューカバー１５から離反するように移動させると、シューカバー１５に形成された凸状のリブ１５ａとファインダー１６の一部に形成された凹部１６ａの勘合関係が解除される。それと共にシューカバー１５に形成された凸状のリブ１５ａが露出してシューカバー１５を外せる状態となる。
【図面の簡単な説明】
【００３０】
【図１】第１の実施形態によるビデオカメラのファインダーを収納した状態を示す後方斜視図
【図２】第１の実施形態によるビデオカメラのファインダーをスライドさせた状態を示す後方斜視図
【図３】第１の実施形態によるファインダーを収納した状態を示す後方斜視図
【図４】第１の実施形態によるファインダーをスライドさせた状態を示す後方斜視図
【図５】第１の実施形態によるビデオカメラからシューカバーを外した状態を示す後方斜視図
【図６】第１の実施形態によるビデオカメラからシューカバーを外した状態を示す別の後方斜視図
【図７】第１の実施形態によるビデオカメラにマイクロホン装置を装着した状態を示す後方斜視図
【図８】第２の実施形態によるビデオカメラのファインダーをスライドさせた状態を示す後方斜視図
【図９】第２の実施形態によるファインダーの収納状態を示す部分断面図
【符号の説明】
【００３１】
１  撮像レンズ
２  記録部
３  マイクロフォン
４  ズームレバー
５  電源ダイヤル
６  シューカバー
７  ファインダー
８  ビデオカメラ本体
９  保持部材
１０  ピン
１１  ピン
１２  アクセサリーシュー
１３  マイクロフォン装置
１４  空間
１５  シューカバー
１６  ファインダー
【図１】
0005014005.tif 000002
【図２】
0005014005.tif 000003
【図３】
0005014005.tif 000004
【図４】
0005014005.tif 000005
【図５】
0005014005.tif 000006
【図６】
0005014005.tif 000007
【図７】
0005014005.tif 000008
【図８】
0005014005.tif 000009
【図９】
0005014005.tif 000010